(57)【要約】【課題】画像不良の発生を防止しつつ、ドラムヒータの駆動による消費電力を低減することが可能となる画像形成装置を提供する。【解決手段】タイマ１により、帯電線に帯電高圧を印加した高圧印加時間Ｔ１を計時し（ステップＳ５，Ｓ８）、この高圧印加時間Ｔ１に基づいて、排出完了時間Ｔexを算出する（ステップＳ１０）。またタイマ２により、節電モードに移行し、帯電高圧の印加を停止してから現在までの帯電ファンの駆動時間Ｔ２を計時する（ステップＳ９，Ｓ１１）。そして、時間Ｔ２≦時間Ｔexの場合には、ドラムヒータを駆動する（ステップＳ２１）一方、時間Ｔ２＞時間Ｔexの場合には、ドラムヒータの駆動を停止する（ステップＳ２０）。【選択図】図７
2013186322.tif 000002
【特許請求の範囲】
【請求項１】
画像を担持する像担持体を帯電する帯電手段と、
前記帯電手段による帯電時に生成される帯電生成物を排出する排出手段と、
前記帯電生成物が前記像担持体に付着することを防止する防止手段と、
前記帯電手段が帯電を開始してから終了するまでの時間Ｔ１を計時する第１の計時手段と、
前記帯電手段が帯電を終了してから現在までの時間Ｔ２を計時する第２の計時手段と、
前記第１の計時手段によって計時された時間Ｔ１に基づいて、前記帯電手段が帯電を終了してから、前記排出手段が前記帯電生成物を排出することにより装置内に残留している前記帯電生成物の量が所定量になるまでの時間Ｔexを算出する算出手段と、
省電力モードに移行したときに、前記時間Ｔ２≦前記時間Ｔexの場合には、前記防止手段を駆動する一方、前記時間Ｔ２＞前記時間Ｔexの場合には、前記防止手段の駆動を停止するように制御する制御手段と
を有することを特徴とする画像形成装置。
【請求項２】
前記算出手段によって算出された時間Ｔexを前回の時間Ｔex_oldとして記憶する記憶手段をさらに有し、
前記算出手段は、前記時間Ｔ１と前記記憶手段に記憶された前回の時間Ｔex_oldとに基づいて、前記時間Ｔexを算出することを特徴とする請求項１に記載の画像形成装置。
【請求項３】
前記帯電手段は、コロナ放電によって前記像担持体を帯電させることを特徴とする請求項１または２に記載の画像形成装置。
【請求項４】
前記排出手段は、電動ファンであることを特徴とする請求項１または２に記載の画像形成装置。
【請求項５】
前記防止手段は、前記像担持体を加熱するドラムヒータであることを特徴とする請求項１または２に記載の画像形成装置。
【請求項６】
前記省電力モードには、節電モードと主電源のオフが含まれることを特徴とする請求項１乃至５のいずれか１項に記載の画像形成装置。
【発明の詳細な説明】
【技術分野】
【０００１】
本発明は、複写機やファクシミリ、プリンタ等の画像形成装置に関する。
【背景技術】
【０００２】
電子写真方式の画像形成装置では、感光体に対する、帯電器による帯電、露光、トナー現像、トナー転写および除電というプロセスにより、画像形成を行っている。そして、感光体は、このプロセスが繰り返されることで、シート上への画像形成を連続して実現させている。
【０００３】
この感光体へのプロセスが繰り返されるに従って、帯電器からコロナ放電によるオゾンが発生し、それに伴って、画像形成装置内には窒素酸化物（ＮＯｘ）等の帯電生成物が蓄積する。そして、蓄積した帯電生成物は、感光体の動作が停止したときに、その表面上に付着する。
【０００４】
帯電生成物が付着した感光体の表面は劣化しており、水分が付着し易くなる。その結果、感光体表面に担持されているべき帯電電荷が流動する現象、いわゆる「画像流れ」現象が発生する。この現象が発生する傾向は、特に高温高湿下や大量印刷後に顕著となる。帯電電荷が流動すると、シート上に転写される画像に不良が生じ、結果として画像不良となるので、帯電生成物を除去する必要がある。
【０００５】
帯電生成物を除去する従来の技術としては、帯電器内、あるいはその近傍にファンを設け、このファンにより帯電生成物を含まない外部の清浄な空気を帯電器へ送り込んで、帯電生成物を除去するようにしたものがある（たとえば、特許文献１参照）。
【０００６】
しかしこの従来の技術では、ファンによって帯電生成物を除去している最中に、画像形成装置の主電源がオフされる等により、ファンが停止すると、帯電生成物を除去できなくなる。
【０００７】
この問題に対処するために、画像形成装置の主電源がオフされたり、節電モードに移行されたりしたときに、ドラムヒータを駆動して感光ドラム（感光体）表面を所定温度に保持し、帯電生成物を除去するようにした画像形成装置もある（たとえば、特許文献２参照）。
【先行技術文献】
【特許文献】
【０００８】
【特許文献１】特開平７−２８７４３６号公報
【特許文献２】特開２００３−３１６２３８号公報
【発明の概要】
【発明が解決しようとする課題】
【０００９】
しかし上記従来の画像形成装置では、主電源がオフされたり、節電モードに移行されたりしたときには、たとえファンによって帯電生成物が十分除去されていたとしても、ドラムヒータを駆動させているので、消費電力の無駄が生じている。
【００１０】
本発明は、この点に着目してなされたものであり、画像不良の発生を防止しつつ、ドラムヒータの駆動による消費電力を低減することが可能となる画像形成装置を提供することを目的とする。
【課題を解決するための手段】
【００１１】
上記目的を達成するため、本発明の画像形成装置は、画像を担持する像担持体を帯電する帯電手段と、前記帯電手段による帯電時に生成される帯電生成物を排出する排出手段と、前記帯電生成物が前記像担持体に付着することを防止する防止手段と、前記帯電手段が帯電を開始してから終了するまでの時間Ｔ１を計時する第１の計時手段と、前記帯電手段が帯電を終了してから現在までの時間Ｔ２を計時する第２の計時手段と、前記第１の計時手段によって計時された時間Ｔ１に基づいて、前記帯電手段が帯電を終了してから、前記排出手段が前記帯電生成物を排出することにより装置内に残留している前記帯電生成物の量が所定量になるまでの時間Ｔexを算出する算出手段と、省電力モードに移行したときに、前記時間Ｔ２≦前記時間Ｔexの場合には、前記防止手段を駆動する一方、前記時間Ｔ２＞前記時間Ｔexの場合には、前記防止手段の駆動を停止するように制御する制御手段とを有することを特徴とする。
【発明の効果】
【００１２】
本発明によれば、画像不良の発生を防止しつつ、ドラムヒータの駆動による消費電力を低減することが可能となる。
【図面の簡単な説明】
【００１３】
【図１】本発明の一実施の形態に係る画像形成装置の概略構成を示す断面図である。
【図２】図１の画像形成装置の制御構成を示すブロック図である。
【図３】図２中のプリンタ制御部内のＲＡＭおよびＲＯＭの各メモリマップの一例を示す図である。
【図４】図２中のデバイス制御部に接続される負荷の一部を示す図である。
【図５】図４中の負荷の帯電器および感光ドラム近傍における配置例を示す図である。
【図６】帯電器の帯電時間と帯電生成物量の関係（（ａ））および帯電ファンによる排出時間と帯電生成物量の関係（（ｂ））を示す図である。
【図７】図２中のプリンタ制御部、特にＣＰＵが実行するドラムヒータ制御処理の手順を示すフローチャートである。
【発明を実施するための形態】
【００１４】
以下、本発明の実施の形態を図面に基づいて詳細に説明する。
【００１５】
図１は、本発明の一実施の形態に係る画像形成装置１の概略構成を示す断面図である。
【００１６】
同図に示すように、画像形成装置１は、原稿画像を読み取るイメージリーダ２０と、読み取った原稿画像をシート上に形成するプリンタ３０を備えている。
【００１７】
プリンタ３０は、感光ドラム３２（像担持体）を備え、感光ドラム３２の周囲には、一次帯電器（以下「帯電器」と略していう）５０（帯電手段）、現像ユニット４０および転写装置３６が配置されている。
【００１８】
感光ドラム３２の材料には、アモルファスシリコンが使用されている。シートに画像を形成する場合、まず帯電器５０に電圧を印加して、感光ドラム３２の表面を所定の帯電部電位で一様に帯電させる。次に露光装置３１は、イメージリーダ２０によって読み取られ、画像信号に変換された原稿画像に基づいてオン／オフ制御されたレーザ光を感光ドラム３２上に照射する。これにより、所定の帯電部電位で一様に帯電された感光ドラム３２のうち、オン制御されたレーザ光の照射を受けた部分の表面電位が所定の露光部電位に変更され、その部分に静電潜像が形成される。
【００１９】
現像ユニット４０は、現像ローラ４１を感光ドラム３２に常時接するように構成され、現像時には、高圧バイアスに切替えて現像ローラ４１に印加し、感光ドラム３２表面の静電潜像にトナーを付着させて現像する。
【００２０】
また、レーザ光の照射開始と同期したタイミングで、給紙カセット３３のいずれか、または両面搬送パス３５からシートを給送し、感光ドラム３２と転写装置３６との間に搬送する。そして転写装置３６は、感光ドラム３２上の現像剤像をシート上に転写する。
【００２１】
現像剤像が転写されたシートは、定着部３７に搬送され、定着部３７によって加熱加圧される。これにより、転写された現像剤像がシート上に定着する。
【００２２】
定着部３７を通過したシートは、排出ローラ３８を経てプリンタ３０からトレイ９０へ排出される。
【００２３】
図２は、画像形成装置１の制御構成を示すブロック図である。
【００２４】
同図に示すように、画像形成装置１は主として、ジョブの管理を行うコントローラ部１００と、プリンタ３０全体を制御するプリンタ制御部１１０とによって構成されている。
【００２５】
コントローラ部１００は、ＣＰＵ（central processing unit）１０１を備えている。ＣＰＵ１０１には、ＲＯＭ（read only memory）１０３およびＲＡＭ（random access memory）１０２が、アドレスバスおよびデータバスを介して接続されている。ＲＯＭ１０３には、制御プログラムが格納されている。ＲＡＭ１０２は、制御データを一時的に保持し、また制御に伴う演算処理の作業領域として用いられる。
【００２６】
またＣＰＵ１０１には、外部と通信を行うための外部インターフェース（Ｉ／Ｆ）部１０４、受信したデータの加工や蓄積、画像処理を行うＰＤＬ（Page Description Language）制御部１０５、およびプリンタ制御部１１０との通信を行う内部Ｉ／Ｆ部１０６が接続されている。
【００２７】
さらにＣＰＵ１０１には、操作部１０７が接続されており、ＣＰＵ１０１は、操作部１０７へ各種表示を行うとともに、操作部１０７に対するキー入力を受け付ける。使用者は、キー入力を通して、表示の切り替えをＣＰＵ１０１に指示する。これに応じてＣＰＵ１０１は、操作部１０７上に、装置の動作状態や、キー入力によって設定された動作モードの表示を行う。
【００２８】
プリンタ制御部１１０は、ＣＰＵ１１１、ＲＡＭ１１２、ＲＯＭ１１３、デバイス制御部１１４および内部Ｉ／Ｆ部１１５によって構成されている。
【００２９】
ＣＰＵ１１１は、画像形成についての基本制御を行う。ＣＰＵ１１１には、制御プログラムが書き込まれたＲＯＭ１１３と、画像形成処理を行うためのデータを格納するＲＡＭ１１２が、アドレスバスおよびデータバスを介して接続されている。
【００３０】
図３は、ＲＡＭ１１２およびＲＯＭ１１３の各メモリマップの一例を示す図である。
【００３１】
同図に示すように、ＲＡＭ１１２（記憶手段）には、画像形成処理を行うためのスタック領域１１２ａと、動的にデータ用領域を確保するためのヒープ領域１１２ｂと、作業用変数を記憶するための変数領域１１２ｃとが設けられている。
【００３２】
ＲＯＭ１１３には、図７を用いて後述するドラムヒータ制御処理を含む各種制御プログラムを格納するプログラム領域１１３ａと、変数初期値を格納する変数初期値領域１１３ｂとが設けられている。
【００３３】
図２に戻り、デバイス制御部１１４は、プリンタ３０の各構成部品を制御するためのパワードライバ回路を含む電気回路によって構成されている。内部Ｉ／Ｆ部１１５は、コントローラ部１００（の内部Ｉ／Ｆ部１０６）と信号線１０８を通じて、画像信号やタイミング信号のやり取りを行う。
【００３４】
ＣＰＵ１１１は、制御プログラムの内容に従って、コントローラ部１００から内部Ｉ／Ｆ部１１５を介して画像信号を受信し、デバイス制御部１１４を制御して画像形成動作を実行する。またＣＰＵ１１１は、消費電力を低減するための節電モード（省電力モード）を備えている。ＣＰＵ１１１が節電モードに移行しているときには、ＣＰＵ１１１は演算処理を実行しない、あるいは、機能が制限された状態となる。これにより、ＣＰＵ１１１の消費電力は低減される。また、ＣＰＵ１１１が節電モードに移行した場合、帯電器５０、現像ユニット４０、転写装置３６および定着部３７等の画像形成に関わるユニットには、電力が供給されない。例外的に、感光ドラム３２内部に設置されるドラムヒータ３０３（図５参照）には、ＣＰＵ１１１が節電モードに移行した場合でも電力を供給できるように構成されている（図４を用いて後述する）。このようにＣＰＵ１１１が節電モードに移行した場合でも、ドラムヒータ３０３（防止手段）に電力を供給できるので、画像形成後に画像形成装置１の内部に浮遊する帯電生成物が感光ドラム３２に付着することを防止できる。
【００３５】
図４は、前記デバイス制御部１１４に接続される負荷の一部を示す図であり、図５は、図４の負荷の帯電器５０および感光ドラム３２近傍における配置例を示す図である。
【００３６】
帯電線３０１は、図４に示すように、デバイス制御部１１４に含まれる帯電高圧制御部２０１に接続され、図５に示すように、帯電器５０内の一部として構成されている。帯電線３０１によって感光ドラム３２を帯電させるために、ＣＰＵ１１１は、帯電高圧制御部２０１に高圧電圧出力値を設定する。ＣＰＵ１１１から高圧電圧出力値が設定されると、帯電高圧制御部２０１は、高圧電圧を帯電線３０１に印加する。
【００３７】
帯電ファン３０２（排出手段、電動ファン）は、図４に示すように、デバイス制御部１１４に含まれる帯電ファン制御部２０２に接続され、図５に示すように、帯電器５０に隣接して設置される。帯電ファン３０２は、コロナ帯電時に副次的に発生する帯電生成物（窒素酸化物等）を吸着フィルタ（図示せず）に導いて排出する。このように帯電ファン３０２によって帯電生成物が排出されると、帯電生成物が感光ドラム３２に付着することが要因となって画像不良が引き起こされることを防止できる。
【００３８】
ドラムヒータ３０３は、図４に示すように、デバイス制御部１１４に含まれるドラムヒータ制御部２０３に接続されている。画像流れの要因となる感光ドラム３２表面の水分付着を防止するために、ＣＰＵ１１１（制御手段）は、ドラムヒータ制御部２０３に指示して、ドラムヒータ３０３のオン／オフを切り替える。このようにして感光ドラム３２の表面に水分を付着させないことで、帯電生成物が水分に溶け、亜硝酸や硝酸といった感光ドラム３２を劣化させる物質が生成されることを防止できる。
【００３９】
ドラムヒータ制御部２０３は、ＣＰＵ１１１が節電モードに移行し、ＣＰＵ１１１への電源供給が停止されている状態でも、ドラムヒータ３０３のオン／オフ状態を保持できるリレー回路を内蔵している。
【００４０】
図６は、帯電器５０の帯電時間と帯電生成物量の関係（（ａ））および帯電ファン３０２による排出時間と帯電生成物量の関係（（ｂ））を示す図である。
【００４１】
図６（ａ）中、横軸は帯電時間を示し、縦軸は帯電器５０によって生成される帯電生成物量を示している。
【００４２】
印刷時間が長くなれば、感光ドラム３２に印加する帯電電圧の印加時間も、それに比例して長くなる。その結果、帯電生成物量は、図６（ａ）に示すように印刷開始から次第に増加して行く。
【００４３】
図６（ｂ）中、横軸は帯電ファン３０２による排出時間を示し、縦軸は画像形成装置１内に残留している帯電生成物量を示している。
【００４４】
図６（ａ）の時刻ｔ１で印刷が終了したとき、画像形成装置１内（装置内）に残留する帯電生成物量を“Ｒ１”として表す。同様に、時刻ｔ２における残留帯電生成物量を“Ｒ２”とし、時刻ｔ３における残留帯電生成物量を“Ｒ３”として表す。図６（ｂ）に示すように、帯電ファン３０２による排出時間の経過とともに帯電生成物量は減衰する。
【００４５】
図６（ｂ）中、画像流れが発生する帯電生成物量の閾値を“Ｒｓ”として表すと、残留帯電生成物量が、閾値Ｒｓ（所定量）を上回っている場合には、画像流れが発生し、下回っている場合には、画像流れは発生しないと判定することができる。
【００４６】
残留帯電生成物量が印刷終了時の初期値“Ｒ１”から減衰する場合には、常に閾値Ｒｓを下回っているので、画像流れは発生しない。
【００４７】
一方、残留帯電生成物量が印刷終了時の初期値“Ｒ２”から減衰する場合には、減衰する過程で  閾値Ｒｓを下回る。帯電生成物量が閾値Ｒｓを上回っているときに、ＣＰＵ１１１が節電モードに移行し、帯電ファン３０２を制御できなくなった場合には、画像流れが発生し得る。そこでこの場合、節電モードへの移行時にドラムヒータ３０３を駆動することにより、画像流れを防止する。ただし、帯電生成物量が閾値Ｒｓを下回っているときに、ＣＰＵ１１１が節電モードに移行するなどの要因によって、帯電ファン３０２を制御できなくなる場合には、画像流れは発生しない。この場合には、ドラムヒータ３０３を駆動する必要はない。
【００４８】
さらに、残留帯電生成物量が印刷終了時の初期値“Ｒ３”から減衰する場合には、閾値Ｒｓを下回るために時間経過が必要である。したがって、連続して感光ドラム３２を帯電させた直後に、ＣＰＵ１１１が節電モードに移行する場合には、ドラムヒータ３０３を駆動する必要がある。
【００４９】
画像形成装置１内に残留する帯電生成物量が、帯電ファン３０２によって閾値Ｒｓを下回っている場合に、ＣＰＵ１１１が節電モードに移行するときには、ドラムヒータ３０３を駆動する必要はない。本発明の特徴は、この原理に基づいて、省電力モードに移行した後の消費電力を低減させることにある。本発明では、帯電生成物量を帯電時間に基づいて推定するようにしているので、帯電生成物量を測定するセンサを画像形成装置１内に設けていない。これにより、画像形成装置１の製造コストを低減させることができる。
【００５０】
図７は、プリンタ制御部１１０、特にＣＰＵ１１１が実行するドラムヒータ制御処理の手順を示すフローチャートである。本ドラムヒータ制御処理では、帯電線３０１に帯電高圧を印加した高圧印加時間と帯電ファン３０２を駆動した駆動時間を計測し、この高圧印加時間および駆動時間に基づいて、ドラムヒータ３０３の駆動／停止を制御する。つまり、画像流れが発生しないと判定されたときに、ドラムヒータ３０３の駆動を停止して、消費電力の低減を図っている。
【００５１】
本ドラムヒータ制御処理は、画像形成装置１の電源がオンされると起動する。本ドラムヒータ制御処理が起動すると、まずＣＰＵ１１１は、ＲＯＭ１１３に格納された初期値もしくは、バックアップ可能なＲＡＭ１１２に保持された調整値を帯電高圧制御部２０１に設定して、帯電器５０を初期化する（ステップＳ１）。
【００５２】
次にＣＰＵ１１１は、感光ドラム３２を帯電するための帯電要求があったか否かを判定する（ステップＳ２）。この判定の結果、帯電要求があった場合には、ＣＰＵ１１１は、帯電高圧制御部２０１に前記高圧電圧出力値を設定する。これにより、帯電高圧制御部２０１は、帯電高圧を帯電線３０１に印加する（ステップＳ３）。さらにＣＰＵ１１１は、帯電ファン制御部２０２に指示して、帯電ファン３０２を駆動（回転）させる（ステップＳ４）。そしてＣＰＵ１１１は、自身のクロックを基に時間を計測するタイマ１（図示せず）の計時を開始させる（ステップＳ５）。タイマ１は、前記高圧印加時間を計測するものであり、そのために帯電開始時刻Ｔstart１を記録しておく。
【００５３】
次にＣＰＵ１１１は、感光ドラム３２への帯電を停止するための帯電停止要求があったか否かを判定する（ステップＳ６）。この判定の結果、帯電停止要求がない場合には、ＣＰＵ１１１は、帯電停止要求を待つ。一方、帯電停止要求があった場合には、ＣＰＵ１１１は、帯電高圧制御部２０１に設定されている高圧電圧出力値をクリアする。これにより、帯電高圧制御部２０１は、帯電線３０１への帯電高圧の印加を停止する（ステップＳ７）。さらにＣＰＵ１１１は、タイマ１の計時を停止し（ステップＳ８）、帯電停止時刻Ｔend１を記録する。そしてＣＰＵ１１１は、自身のクロックを基に時間を計測するタイマ２（図示せず）の計時を開始させる（ステップＳ９）。タイマ２は、前記駆動時間を計測するものであり、そのために帯電ファン３０２の駆動開始時刻Ｔstart２を記録しておく。
【００５４】
次にＣＰＵ１１１（第１の計時手段、算出手段）は、前記記録しておいた時刻Ｔstart１およびＴend１に基づいて、帯電高圧の印加が停止されてから、画像形成装置１内に残留している帯電生成物量が前記閾値Ｒｓ（図６（ｂ）参照）になるまでの時間（以下「排出完了時間」という）Ｔexを、次式（１）によって算出（推定）する（ステップＳ１０）。
【００５５】
Ｔex ＝ αＴ１＋βＴex_old  …（１）
ここで、時間Ｔ１は、帯電器５０がコロナ放電を行った時間、つまり高圧印加時間（＝ Ｔend１−Ｔstart１）である。時間Ｔex_oldは、前回の帯電高圧印加時の排出完了時間（初期値は、“０”）である。“α”は、帯電時間（高圧印加時間）と排出完了時間との関係を決定する係数であり、実験により予め定めたものである。なお“α”は、温度や湿度といった環境ごとに異なる値をテーブルとして記録するようにしてもよい。“β”は、前回の帯電高圧印加時の排出完了時間を、今回の帯電高圧印加時に加算する際の係数（０＜β≦１）であり、実験により予め定めたものである。
【００５６】
前回の帯電高圧印加時の排出完了時間Ｔex_oldは、ステップＳ１０において、排出完了時間Ｔexの算出後に、Ｔex_old ＝Ｔexと更新する。
【００５７】
次にＣＰＵ１１１（第２の計時手段）は、帯電高圧の印加が停止されてから、帯電ファン３０２が残留帯電生成物を排出した時間（以下「ファン排出時間」という）Ｔ２を、次式（２）によって算出する（ステップＳ１１）。
【００５８】
Ｔ２＝Ｔnow−Ｔstart２  …（２）
ここで、時刻Ｔnowは、現在の時刻であり、時刻Ｔstart２は、前記ステップＳ９で記録された帯電ファン３０２の駆動開始時刻である。
【００５９】
そしてＣＰＵ１１１は、ファン排出時間Ｔ２＞排出完了時間Ｔexとなるまで、帯電生成物の排出完了を待つ（ステップＳ１４）。この帯電生成物の排出完了待ちの間（ステップＳ１１，Ｓ１４）に、再度帯電要求がなされる場合と、節電要求がなされる場合に対処するために、ＣＰＵ１１１は、帯電要求があったか否かを判定する（ステップＳ１２）とともに、節電要求があったか否かを判定する（ステップＳ１３）。
【００６０】
ステップＳ１２の判定の結果、帯電要求がなかった場合には、ＣＰＵ１１１は、処理を次のステップＳ１３に進める一方、帯電要求があった場合には、ＣＰＵ１１１は、処理を前記ステップＳ３に戻す。
【００６１】
ステップＳ１３の判定の結果、節電要求がなかった場合には、ＣＰＵ１１１は、処理を次のステップＳ１４に進める一方、節電要求があった場合には、ＣＰＵ１１１は、処理をステップＳ１７に進める。
【００６２】
ステップＳ１４の判定の結果、残留帯電生成物が十分に排出されている場合には、ＣＰＵ１１１は、帯電ファン３０２を停止し（ステップＳ１５）、さらにタイマ２の計時も停止する（ステップＳ１６）。そしてＣＰＵ１１１は、処理を前記ステップＳ２に戻す。
【００６３】
節電要求があり、節電モードに移行すると、ＣＰＵ１１１は、帯電ファン３０２を停止し（ステップＳ１７）、さらにタイマ２の計時も停止する（ステップＳ１８）。
【００６４】
そしてＣＰＵ１１１は、残留帯電生成物が十分に排出されたか否かを判定し（ステップＳ１９）、ドラムヒータ３０３の駆動の可否を決定する。十分に帯電生成物が排出されたか否かの判定は、前記ステップＳ１４での判定と同様であるので、これ以上説明しない。
【００６５】
ステップＳ１９の判定の結果、残留帯電生成物が十分に排出されていない場合には、ＣＰＵ１１１は、ドラムヒータ３０３を駆動する（ステップＳ２１）。ドラムヒータ制御部２０３は、前述のように、ＣＰＵ１１１が節電モードに移行した場合でも駆動状態を保持するリレー回路を有している。このため、節電モードに移行中でも、画像形成装置１内の残留帯電生成物と水分が感光ドラム３２上に付着することを防止でき、これにより画像流れを防止できる。
【００６６】
一方、ステップＳ１９の判定の結果、残留帯電生成物が十分に排出された場合には、ＣＰＵ１１１は、ドラムヒータ３０３の駆動を停止し（ステップＳ２０）、より低消費電力の節電モード状態に移行する。
【００６７】
一方、前記ステップＳ２の判定の結果、帯電要求がなかった場合には、ＣＰＵ１１１は、処理を前記ステップＳ６に進める。
【００６８】
このように画像形成装置１では、画像流れが発生し難い、帯電生成物が十分排出された状態を維持しつつ、電力消費を低減することができる。
【００６９】
なお本実施の形態では、節電モードを例に挙げて本発明を説明したが、これに限らず、本発明は、画像形成装置１の主電源がオフになって、帯電ファン３０２が停止した場合にも同様に適用することができる。
【符号の説明】
【００７０】
１  画像形成装置
３２  感光ドラム
５０  帯電器
１００  コントローラ部
１１０  プリンタ制御部
１１１  ＣＰＵ
１１２  ＲＡＭ
１１３  ＲＯＭ
１１４  デバイス制御部
２０１  帯電高圧制御部
２０２  帯電ファン制御部
２０３  ドラムヒータ制御部
３０１  帯電線
３０２  帯電ファン
３０３  ドラムヒータ
【図１】
2013186322.tif 000003
【図２】
2013186322.tif 000004
【図３】
2013186322.tif 000005
【図４】
2013186322.tif 000006
【図５】
2013186322.tif 000007
【図６】
2013186322.tif 000008
【図７】
2013186322.tif 000009